(57)【要約】      （修正有）【課題】狭いスペースでもメディカルカップをスムーズに交換でき、メディカルカップの交換が容易な回転接続式メディカルカップを備える噴霧器を提供する。【解決手段】噴霧器１０は本体１及びメディカルカップ２を含む。本体１は、装着面１１を有するとともに、装着面１１から複数の円弧状凸リブ１２が延伸し、各円弧状凸リブ１２の一方の側に第１係合片１２１が延伸している。メディカルカップ２は、装着面１１に対し回転可能とされ、且つ着脱可能に装着面１１に接続されるよう、複数の円弧状溝２１が設けられるとともに、各円弧状溝２１における一方の側に設けられた複数の第２係合片２２が延伸し、各第２係合片２２の上部に傾斜面が備えられ、各円弧状凸リブ１２が各円弧状溝２１に挿設されてスライド可能とされ、各第１係合片１２１が各傾斜面に係合可能とされる。これより、メディカルカップが回転方式で交換される。【選択図】図１
0003211330.tif 000002
【実用新案登録請求の範囲】
【請求項１】
装着面を有するとともに、当該装着面から複数の円弧状凸リブが延伸し、各当該円弧状凸リブの一方の側に第１係合片が延伸する本体と、
当該装着面に対し回転可能とされ、且つ着脱可能に当該装着面に接続されるよう、複数の円弧状溝が設けられるとともに、各当該円弧状溝の一方の側に設けられた複数の第２係合片が延伸し、各当該第２係合片の上部に傾斜面が備えられ、各当該円弧状凸リブが各当該円弧状溝に挿設されてスライド可能とされ、各当該第１係合片が各当該傾斜面に係合可能であるメディカルカップ、を含む回転接続式メディカルカップを備える噴霧器。
【請求項２】
当該メディカルカップは底壁を備え、当該底壁は対向する外側面と内側面を有し、各当該円弧状溝は当該外側面と当該内側面を貫通する円弧状中空溝であり、当該底壁には、複数の切欠きが設けられるとともに複数の突出部が備えられ、各当該切欠きは、当該外側面と当該内側面を貫通するとともに各当該円弧状中空溝と連通し、各当該第１係合片は各当該切欠きに挿設可能であり、各当該突出部は各当該切欠きと各当該円弧状中空溝の一方の側に形成され、各当該第２係合片は各当該突出部及び当該内側面から延伸するよう成形される請求項１記載の回転接続式メディカルカップを備える噴霧器。
【請求項３】
当該複数の第１係合片のうちの一つの寸法は、当該複数の第１係合片の残りのものの寸法よりも大きく、当該複数の切欠きのうちの一つの寸法は、当該複数の切欠きの残りのものの寸法よりも大きい請求項２記載の回転接続式メディカルカップを備える噴霧器。
【請求項４】
各当該円弧状凸リブの外側には外側上縁が備えられ、各当該第１係合片は、各当該外側上縁から外側に向けて延伸するよう成形される請求項１〜３のいずれか１項記載の回転接続式メディカルカップを備える噴霧器。
【請求項５】
各当該第２係合片の当該上部における一方の側は、当該切欠きから離れるにしたがって徐々に厚みを増すように当該傾斜面を形成しており、各当該第２係合片の当該上部における他方の側と当該傾斜面との間には平面が備えられる請求項２記載の回転接続式メディカルカップを備える噴霧器。
【請求項６】
当該メディカルカップには噴霧口が設けられるとともに、内部に薬液室が備えられ、当該メディカルカップは、当該薬液室と当該底壁との間に収容室が形成され、各当該第２係合片は当該収容室内に設けられる請求項２記載の回転接続式メディカルカップを備える噴霧器。
【請求項７】
当該本体は電気供給本体であり、当該電気供給本体は、スイッチ及び当該装着面に露出する複数の電極を備え、当該メディカルカップの当該底壁には複数の貫通溝が設けられ、当該メディカルカップは当該収容室に収容される複数の導電片を備え、各当該電極は各当該貫通溝を貫通し、各当該導電片に電気的に接続可能である請求項６記載の回転接続式メディカルカップを備える噴霧器。
【請求項８】
各当該導電片は各当該貫通溝の一方の側に設けられ、各当該電極は各当該貫通溝においてスライドして各当該導電片に当接可能である請求項７記載の回転接続式メディカルカップを備える噴霧器。
【考案の詳細な説明】
【技術分野】
【０００１】
本考案は噴霧器の構造に関し、特に、回転接続式メディカルカップを備える噴霧器に関する。
【背景技術】
【０００２】
医療技術の進歩に伴い、患者がより十分且つ容易に薬剤を吸収できるよう、市場では医療用噴霧器が研究開発されている。この噴霧器は、液状の薬剤を霧化し、霧化した薬剤を経路や噴出口を通じて患者の口腔内に送出することで、治療を迅速化するとの目的を達するものである。よって、噴霧器は現在では一般的な医療装置の一つとなっている。
【０００３】
従来の噴霧器は、超音波式噴霧器と空気圧縮式噴霧器に大別される。超音波式噴霧器は超音波原理を利用して薬液を霧化する。一方、空気圧縮式噴霧器の場合、圧縮空気を細口のノズルに通過させることで高速気流を形成する。これにより発生した負圧によって液体又はその他の流体が遮蔽物に噴射され、高速で衝突して周囲に飛散することで、液滴が霧状微粒子となって排気管から噴出する。
【０００４】
しかし、超音波式噴霧器か空気圧縮式噴霧器かに拘わらず、必須となるのがメディカルカップの交換である。ところが、現在の噴霧器の多くはスライド式のメディカルカップ交換を採用しており、交換時にメディカルカップのスライド用スペースを予め確保しておかねばならないことから、メディカルカップを交換しにくいとの課題があった。そこで、狭いスペースであってもスムーズにメディカルカップを交換可能とすることが、噴霧器業界における改良ポイントの一つとなっている。
【０００５】
この点に鑑みて、本考案者は上記の従来技術に対し、特に学術理論の運用について研究するとともにこれを取り入れ、上記の課題を解決することを目標に定めた。
【考案の概要】
【考案が解決しようとする課題】
【０００６】
本考案は、メディカルカップが回転方式で交換されることから、狭いスペースであってもメディカルカップをスムーズに交換可能であり、メディカルカップを交換しやすいとの利点を備える回転接続式メディカルカップを備える噴霧器を提供する。
【課題を解決するための手段】
【０００７】
本考案は実施例において、装着面を有するとともに、当該装着面から複数の円弧状凸リブが延伸し、各当該円弧状凸リブの一方の側に第１係合片が延伸する本体と、当該装着面に対し回転可能とされ、且つ着脱可能に当該装着面に接続されるよう、複数の円弧状溝が設けられるとともに、各当該円弧状溝の一方の側に設けられた複数の第２係合片が延伸し、各当該第２係合片の上部に傾斜面が備えられ、各当該円弧状凸リブが各当該円弧状溝に挿設されてスライド可能とされ、各当該第１係合片が各当該傾斜面に係合可能であるメディカルカップ、を含む切り替え式メディカルカップを備える噴霧器を提供する。
【０００８】
上記に基づき、複数の第１係合片のうちの一つの寸法は、複数の第１係合片の残りのものの寸法よりも大きく、複数の切欠きのうちの一つの寸法は、複数の切欠きの残りのものの寸法よりも大きい。寸法の大きい第１係合片が寸法の大きい切欠きにのみ挿入可能なポカヨケ設定となっているため、メディカルカップを所定の方式で確実に装着面に装着可能となる。よって、噴霧器のメディカルカップは、組み立てにおいてポカヨケメカニズムを備えている。
【図面の簡単な説明】
【０００９】
【図１】図１は、本考案の噴霧器の分解斜視図である。
【図２】図２は、本考案のメディカルカップの底壁を示す斜視図である。
【図３】図３は、本考案の噴霧器の組み立て斜視図である。
【図４】図４は、本考案の噴霧器の使用状態を示す図である。
【図５】図５は、本考案の噴霧器の他の使用状態を示す図である。
【図６】図６は、本考案の噴霧器の断面図である。
【図７】図７は、本考案の噴霧器の更に別の使用状態を示す図である。
【図８】図８は、本考案の噴霧器の他の断面図である。
【図９】図９は、本考案の噴霧器の他の組み立て斜視図である。
【考案を実施するための形態】
【００１０】
本考案の詳細及び技術内容について、図面を組み合わせて以下の通り説明する。ただし、図面は説明のためのものにすぎず、本考案を制限するものではない。
【００１１】
図１〜図９を参照して、本考案は回転接続式メディカルカップを備える噴霧器を提供する。当該噴霧器１０は、主に本体１とメディカルカップ２を含む。
【００１２】
図１、図３〜図９に示すように、本体１は装着面１１を含むとともに、装着面１１から複数の円弧状凸リブ１２が延伸している。各円弧状凸リブ１２の一方の側には第１係合片１２１が延伸している。また、各円弧状凸リブ１２の外側には外側上縁１２２が備えられる。各係合片１２１は、各外側上縁１２２から外側に向けて延伸するよう成形される。本体１は電気供給本体１３であり、電気供給本体１３にはスイッチ１３１と、装着面１１に露出する複数の電極１３２が備えられる。
【００１３】
図１〜図９に示すように、メディカルカップ２には複数の円弧状溝２１が設けられるとともに、各円弧状溝２１の一方の側に設けられた複数の第２係合片２２が延伸している。各第２係合片２２の上部２２１は傾斜面２２２を備え、且つ傾斜面２２２はメディカルカップ２における装着面１１から離間した側に設けられている。各円弧状凸リブ１２は各円弧状溝２１に挿設されてスライドすることが可能であり、各第１係合片１２１は各傾斜面２２２に係合可能である。これより、メディカルカップ２は装着面１１に対し回転可能となり、着脱可能に装着面１１に接続される。
【００１４】
更に説明すると、メディカルカップ２は底壁２３を備える。底壁２３は、対向する外側面２３ａと内側面２３ｂを有し、メディカルカップ２が本体１に組み付けられる際には、装着面１１と外側面２３ａとが対向配置される。各円弧状溝２１は、外側面２３ａと内側面２３ｂを貫通する円弧状中空溝２１１である。底壁２３には複数の切欠き２３１が設けられるとともに、複数の突出部２３２が備えられる。各切欠き２３１は、外側面２３ａと内側面２３ｂを貫通するとともに、各円弧状中空溝２１１と連通している。各第１係合片１２１は、各切欠き２３１に挿設可能である。各突出部２３２は各切欠き２３１と各円弧状中空溝２１１の一方の側に形成され、各第２係合片２２は各突出部２３２及び内側面２３ｂから延伸するよう成形される。各第２係合片２２の上部２２１における一方の側は、切欠き２３１から離れるにしたがって徐々に厚みを増すように傾斜面２２２を形成している。また、各第２係合片２２の上部２２１における他方の側と傾斜面２２２との間には平面２２３が備えられる。メディカルカップ２の底壁２３には、複数の貫通溝２３３が設けられる。
【００１５】
このほか、メディカルカップ２には噴霧口２４が設けられるとともに、内部に薬液室２５が備えられる。また、メディカルカップ２は、薬液室２５と底壁２３の間に収容室２６が形成され、各第２係合片２２は収容室２６内に設けられる。
【００１６】
また、複数の第１係合片１２１のうちの一つの寸法は、複数の第１係合片１２１の残りのものの寸法よりも大きく、複数の切欠き２３１のうちの一つの寸法は、複数の切欠き２３１の残りのものの寸法よりも大きい。寸法の大きい第１係合片１２１が寸法の大きい切欠き２３１にのみ挿入可能なポカヨケ設定となっているため、メディカルカップ２を所定の方式で確実に装着面１１に装着可能となる。これより、噴霧器１０のメディカルカップ２には、組み付けにおけるポカヨケメカニズムが備わっている。
【００１７】
図１、図４〜図８に示すように、本考案の噴霧器１０は更に霧化部材（図示しない）を含む。霧化部材はメディカルカップ２の内部に装着されて、薬液室２５及び噴霧口２４にそれぞれ連通している。メディカルカップ２は、霧化部材に電気的に接続されるとともに収容室２６に収容される複数の導電片２７を備える。また、各電極１３２は各貫通溝２３３を貫通し、各導電片２７に電気的に接続可能である。
【００１８】
詳述すると、各導電片２７は各貫通溝２３３の一方の側に設けられる。メディカルカップ２を組み付け位置まで回転した場合に電極１３２が導電片２７と導通し、電気供給本体１３が霧化部材に対して電力を供給可能となるよう、各電極１３２は各貫通溝２３３においてスライドし、各導電片２７に当接可能とされる。
【００１９】
なお、この霧化部材は音波振動機構又は空気圧縮機構としてもよい。音波振動機構の場合には超音波原理を用い、薬液室２５内の薬液を霧化してから噴霧口２４に噴出させる。また、空気圧縮機構の場合には、圧縮空気を細口のノズルに通過させることで高速気流を形成する。これにより発生した負圧によって薬液室２５内の薬液が遮蔽物に噴射され、高速で衝突して周囲に飛散することで、液滴が霧状微粒子となって噴霧口２４から噴出する。
【００２０】
図１〜図９に示すように、本考案の噴霧器１０の組み立てにあたり利用されるものとして、本体１は装着面１１を備えるとともに、装着面１１から複数の円弧状凸リブ１２が延伸している。各円弧状凸リブ１２の一方の側には、第１係合片１２１が延伸している。また、メディカルカップ２には複数の円弧状溝２１が設けられるとともに、各円弧状溝２１の一方の側に設けられた複数の第２係合片２２が延伸している。各第２係合片２２の上部２２１は傾斜面２２２を備える。各円弧状凸リブ１２は各円弧状溝２１に挿設されてスライドすることが可能であり、各第１係合片１２１は各傾斜面２２２に係合可能である。これより、メディカルカップ２は装着面１１に対し回転可能となり、着脱可能に装着面１１に接続される。以上より、メディカルカップ２が回転方式で交換されることから、噴霧器１０は狭いスペースであってもメディカルカップ２をスムーズに交換でき、メディカルカップ２の交換が容易であるとの利点を備える。
【００２１】
図３〜図９は、本考案における噴霧器１０の使用状態を示す。図３〜図４に示すように、各円弧状凸リブ１２を各円弧状溝２１に挿設し、各第１係合片１２１が各切欠き２３１に挿設され、且つ各電極１３２が各貫通溝２３３に挿設されることで、メディカルカップ２が装着面１１に載置される。図３〜図４に示すように、メディカルカップ２を所定の方向に正回転させると、各円弧状凸リブ１２が各円弧状溝２１においてスライドするとともに、各電極１３２が各貫通溝２３３においてスライドする。そして、各第１係合片１２１が、傾斜面２２２に密着して係合するまで傾斜面２２２に沿ってスライドすることで、装着面１１に対するメディカルカップ２の組み付け作業が完了する。また、電極１３２が各導電片２７に当接することで、電気供給本体１３が霧化部材に対し電力を供給可能となる。反対に、メディカルカップ２を所定の方向に逆回転させると、第１係合片１２１と傾斜面２２２との係合が解除されることで、各円弧状凸リブ１２が各円弧状溝２１から離脱可能となるとともに、各第１係合片１２１が各切欠き２３１から離脱可能となる。これにより、装着面１１からのメディカルカップ２の取り外し作業が完了する。
【００２２】
以上述べたように、本考案の回転接続式メディカルカップを備える噴霧器は、所期の使用目的を達しつつ従来の瑕疵を解消可能である。また、産業上の利用可能性、新規性及び進歩性を備えており、実用新案の出願要件を完全に満たしているため、特許法に基づき出願する。考案者の権利を保障すべく、本願を詳細に審査のうえ権利化していただきたい。
【符号の説明】
【００２３】
１０    噴霧器
１      本体
１１    装着面
１２    円弧状凸リブ
１２１  第１係合片
１２２  外側上縁
１３    電気供給本体
１３１  スイッチ
１３２  電極
２      メディカルカップ
２１    円弧状溝
２１１  円弧状中空溝
２２    第２係合片
２２１  上部
２２２  傾斜面
２２３  平面
２３    底壁
２３ａ  外側面
２３ｂ  内側面
２３１  切欠き
２３２  突出部
２３３  貫通溝
２４    噴霧口
２５    薬液室
２６    収容室
２７    導電片
【図１】
0003211330.tif 000003
【図２】
0003211330.tif 000004
【図３】
0003211330.tif 000005
【図４】
0003211330.tif 000006
【図５】
0003211330.tif 000007
【図６】
0003211330.tif 000008
【図７】
0003211330.tif 000009
【図８】
0003211330.tif 000010
【図９】
0003211330.tif 000011